(57)【要約】【課題】梱包時の無駄な空間を減少させ、固定強度の十分なパネル型テレビジョンおよびプラズマテレビジョンの提供を目的とする。【解決手段】パネル型テレビジョンが立設されているときは、各ボルト４０ｂ、４１ｂは、各水平貫通口４４ａ，４５ａの各上下貫通口４４ｂ，４５ｂと連続しない側の端部にそれぞれ位置する。各スタンド４０、４１を収納するときは、各水平貫通口４４ａ、４５ａが各ボルト４０ｂ、４１ｂとそれぞれ係合しつつ各スタンド４０、４１を軸回転方向に誘導し、各水平貫通口４４ａ、４５ａと連続する位置まで誘導し、各上下貫通口４４ｂ、４５ｂが各ボルト４０ｂ、４１ｂと係合しつつ各スタンド４０、４１を上下方向に誘導して、各ボルト４０ｂ、４１ｂを各上下貫通口４４ｂ、４５ｂの上端に位置させることにより各スタンド４０、４１を収納スペース４６に収納させる。【選択図】図５
2007180752.tif 000002
【特許請求の範囲】
【請求項１】
映像を画面に表示するプラズマディスプレイパネルモジュールと、
音声を出力するスピーカと、
アンテナで受信されるテレビ放送信号から選択されているチャンネルのテレビ放送信号を抽出し出力するチューナと、
当該チューナが出力したテレビ放送信号に基づき、映像を前記プラズマディスプレイパネルモジュールに表示させる映像処理部と、
音声を前記スピーカに出力させる音声処理部と、
一次側の入力電圧をトランスを介して所望の電圧に変換して二次側で出力する電源回路と、
上記プラズマディスプレイパネルモジュールの上下左右側面に取り付けられ、同プラズマディスプレイパネルモジュールを前面から支持する枠体と、
金属板を幅方向にコ字型に屈曲させて形成され、左右にオフセットした位置に配置されるとともに上記プラズマディスプレイパネルモジュールの背面側において上端と下端とを上記枠体に固定され、かつ、壁掛けキットを取りつけるためのネジ穴が背面側に形成される右補強フレームおよび左補強フレームと、
上記プラズマディスプレイパネルモジュールと上記スピーカと上記チューナと上記映像処理部と上記音声処理部と上記電源回路と上記枠体と上記右補強フレームと上記左補強フレームとを内部に収容するキャビネットと、
上記右補強フレームの下部および上記左補強フレームの下部より上記キャビネットに形成される挿入口より外部へと下方に延び、上記プラズマディスプレイパネルモジュールの画面を前面に向けて立設可能に支持する左右一対の右スタンドおよび左スタンドと
を備えるプラズマテレビジョンにおいて、
上記右スタンドの軸および上記左スタンドの軸は円筒形状であり、上記右補強フレームおよび上記左補強フレームにそれぞれネジ止めされ、
上記挿入口は上記右スタンドおよび上記左スタンドを回動可能とする円形であり、
上記右スタンドの軸および上記左スタンドの軸の側面にそれぞれ取り付けられて同側面より略垂直に突出する右ボルトおよび左ボルトと、
上記右補強フレームの下部に取り付けられ、上記右スタンドの取り付け位置および取り付け方向を誘導する右誘導部材と、
上記左補強フレームの下部に取り付けられ、上記右スタンドの取り付け位置及び取り付け方向を誘導する左誘導部材と、
上記右誘導部材の右側面下端から前面略中央にかけて水平に形成されて、上記右ボルトと係合しつつ上記右スタンドを軸回転方向に誘導する右水平貫通口と、
上記右誘導部材において、上記右水平貫通口の左端部よりより連続して上方に垂直に形成され、上記右ボルトと係合しつつ上記右スタンドを上下方向に誘導する右上下貫通口と、
上記左誘導部材の左側面下端から前面略中央にかけて水平に形成されて、上記左ボルトと係合しつつ上記左スタンドを軸回転方向に誘導する左水平貫通口と、
上記左誘導部材において、上記左水平貫通口の右端部よりより連続して上方に垂直に形成され、上記左ボルトと係合しつつ上記左スタンドを上下方向に誘導する左上下貫通口と、
を備えることを特徴とするプラズマテレビジョン。
【請求項２】
映像を画面に表示する表示パネルと、
上記表示パネルを側面より支持する枠体と、
上端と下端とを上記枠体に固定され、枠体を上下方向に補強するとともに左右にオフセットした位置に配置される左右一対の補強フレームと、
上記補強フレームの下部に固定されるとともに下方へ延び、上記表示パネルの画面を前面に向けて立設可能に支持する左右一対のスタンドと、
を備えるパネル型テレビジョンにおいて、
上記スタンドの側面より略垂直に突出する突起と、
上記突起と係合しつつ上記スタンドを軸回転方向に誘導する水平貫通口と、同水平貫通口の端部より連続して上方に形成されるとともに上記突起と係合しつつ上記スタンドを上下方向に誘導する上下貫通口とから成る誘導構造を備え、上記補強フレームの下部に取り付けられ、上記スタンドの取付位置および取付方向を誘導する誘導部材と、
上記パネル型テレビジョンの下部に設けられる収納スペースと、
から構成され、
上記突起が、上記水平貫通口における上記上下貫通口と連続しない側の端部に位置するときは上記スタンドが上記パネル型テレビジョンを立設可能に支持し、
上記突起が上記上下貫通口の上端に位置するときは上記スタンドは上記収納スペースに収納されることを特徴とするパネル型テレビジョン。
【請求項３】
上記誘導構造は、
上記水平貫通口に対して上方向にオフセットした位置に設けられる複数の水平貫通口を備えることを特徴とする上記請求項２に記載のパネル型テレビジョン。
【請求項４】
上記誘導構造は、
右のスタンドを誘導する誘導構造と左のスタンドを誘導する誘導構造とで左右対称に形成されることを特徴とする上記請求項２または３に記載のパネル型テレビジョン。
【請求項５】
上記誘導構造は、
右のスタンドを誘導する誘導構造と左のスタンドを誘導する誘導構造とが同一の誘導部材上に形成され、右のスタンドを誘導する水平貫通口と左のスタンドを誘導する誘導構造とが上下にオフセットした位置に形成されることを特徴とする上記請求項２または３に記載のパネル型テレビジョン。
【発明の詳細な説明】
【技術分野】
【０００１】
本発明は、立設および壁掛けの可能なパネル型テレビジョンおよびプラズマテレビジョンに関し、特に、立設のためのスタンドが収納可能なパネル型テレビジョンおよびプラズマテレビジョンに関する。
【背景技術】
【０００２】
従来、パネル型テレビジョンにおいて、スタンドは装置全体を立設可能に支持する必要から、奥行き方向の長さが装置全体で最も長くなる。このため、表示画面部分の厚みを薄くしても、梱包はスタンドの奥行き方向の長さ分だけ必要であり、梱包箱の中には無駄な空間ができる。また、この無駄な空間をなくす為、本体からスタンドを外して出荷しているケースもあるが、本体とは別にスタンド用の梱包材が必要となる。
【０００３】
特許文献１には、機器の底面に収納凹部を設け、同収納凹部の上面に挿通孔を設け、同挿通孔を中心として直交するように前記収納凹部の上面と前記底面に設けられた係止孔と、中央に前記挿通孔に挿通し上端にストッパを設けた支軸を立設し、上面両側に前記係止孔に対応する係止ピンを設け、前記挿通孔に回動自在に軸支された左右一対の脚体と、前記ストッパと前記収納凹部の上面に係止され前記脚体を上方に付勢するスプリングとにより構成され、前記係止ピンを前記底面の係止孔に係合した場合には、前記脚体を機器に直交させ、前記係止ピンを前記収納凹部の係止孔に係合した場合は、前記脚体を該収納凹部内に収納させた機器の脚体装置について開示されている。
【特許文献１】特開平８−２０４３４８
【発明の開示】
【発明が解決しようとする課題】
【０００４】
上述した特許文献１に記載の機器の脚体装置は、脚体を両方向に回転可能とし、いずれの方向に回転させても脚体を機器の収納凹部に収納可能としたため、軸を中心としたスタンド前後方向の長さを同一とする必要あり、本来不要であるはずの後方にも前方と同じだけの長さを確保しなければならなかった。また、立設時、係止ピンのみで脚体装置を固定しているため、固定強度が十分でなく、不測の要因で脚体装置が回転してしまう可能性があった。
【０００５】
本発明は、上記課題にかんがみてなされたもので、梱包時の無駄な空間を減少させ、固定強度の十分なパネル型テレビジョンおよびプラズマテレビジョンの提供を目的とする。
【課題を解決するための手段】
【０００６】
上記課題を解決するために、本発明の請求項１では、映像を画面に表示するプラズマディスプレイパネルモジュールと、音声を出力するスピーカと、アンテナで受信されるテレビ放送信号から選択されているチャンネルのテレビ放送信号を抽出し出力するチューナと、当該チューナが出力したテレビ放送信号に基づき、映像を前記ＰＤＰに表示させる映像処理部と、音声を前記スピーカに出力させる音声処理部と、一次側の入力電圧をトランスを介して所望の電圧に変換して二次側で出力する電源回路と、上記プラズマディスプレイパネルモジュールの上下左右側面に取り付けられ、同プラズマディスプレイパネルモジュールを前面から支持する枠体と、金属板を幅方向にコ字型に屈曲させて形成され、左右にオフセットした位置に配置されるとともに上記プラズマディスプレイパネルモジュールの背面側において上端と下端とを上記枠体に固定され、かつ、壁掛けキットを取りつけるためのネジ穴が背面側に形成される右補強フレームおよび左補強フレームと、上記プラズマディスプレイパネルモジュールと上記スピーカと上記チューナと上記映像処理部と上記音声処理部と上記電源回路と上記枠体と上記右補強フレームと上記左補強フレームとを内部に収容するキャビネットと、上記右補強フレーム下部および上記左補強フレーム下部より上記キャビネットに形成される挿入口より外部へと下方に延び、上記プラズマディスプレイパネルモジュールの画面を前面に向けて立設可能に支持する左右一対の右スタンドおよび左スタンドとを備えるプラズマテレビジョンにおいて、上記右スタンドの軸および上記左スタンドの軸は円筒形状であり上記補強フレームにネジ止めされ、上記挿入口は上記スタンドを回動可能とする円形であり、上記右スタンドの軸および上記左スタンドの軸の側面にそれぞれ取り付けられて同側面より略垂直に突出する右ボルトおよび左ボルトと、上記右補強フレーム下部に取り付けられ、上記右スタンドの取り付け位置および取り付け方向を誘導する右誘導部材と、上記左補強フレーム下部に取り付けられ、上記右スタンドの取り付け位置及び取り付け方向を誘導する左誘導部材と、上記右誘導部材の右側面下端から前面略中央にかけて水平に形成されて、上記右ボルトと係合しつつ上記右スタンドを軸回転方向に誘導する右水平貫通口と、上記右誘導部材において、上記右水平貫通口の左端部よりより連続して上方に垂直に形成され、上記右ボルトと係合しつつ上記右スタンドを上下方向に誘導する右上下貫通口と、上記左誘導部材の左側面下端から前面略中央にかけて水平に形成されて、上記左ボルトと係合しつつ上記左スタンドを軸回転方向に誘導する左水平貫通口と、上記左誘導部材において、上記左水平貫通口の右端部よりより連続して上方に垂直に形成され、上記左ボルトと係合しつつ上記左スタンドを上下方向に誘導する左上下貫通口と、を備える構成としてある。
【０００７】
また、上記目的を達成するために、請求項２に記載のパネル型テレビジョンでは、映像を画面に表示する表示パネルと、上記表示パネルを側面より支持する枠体と、上端と下端とを上記枠体に固定され、枠体を上下方向に補強するとともに左右にオフセットした位置に配置される左右一対の補強フレームと、上記補強フレーム下部に固定されるとともに下方へ延び、上記表示パネルの画面を前面に向けて立設可能に支持する左右一対のスタンドと、を備えるパネル型テレビジョンにおいて、上記スタンドの側面より略垂直に突出する突起と、上記突起と係合しつつ上記スタンドを軸回転方向に誘導する水平貫通口と、同水平貫通口の端部より連続して上方に形成されるとともに上記突起と係合しつつ上記スタンドを上下方向に誘導する上下貫通口とから成る誘導構造を備え、上記補強フレーム下部に取り付けられ、上記スタンドの取付位置および取付方向を誘導する誘導部材と、上記パネル型テレビジョン下部にもうけられる収納スペースと、から構成され、上記突起が、上記水平貫通口における上記上下貫通口と連続しない側の端部に位置するときは上記スタンドが上記パネル型テレビジョンを立設可能に支持し、上記突起が上記上下貫通口の上端に位置するときは上記スタンドは上記収納スペースに収納される構成としてある。
【０００８】
つまり、上記パネル型テレビジョンが立設されているときは、上記突起は上記水平貫通口の上記上下貫通口と連続しない側の端部に位置する。また、上記スタンドを収納するときは、上記水平貫通口が上記突起と係合しつつ上記スタンドを軸回転方向に誘導し、上記上下貫通口と連続する位置まで誘導し、上記上下貫通口が上記突起と係合しつつ上記スタンドを上下方向に誘導して、上記突起を上記上下貫通口の上端に位置させることにより上記スタンドを上記収納スペースに収納させる。
【０００９】
そして、請求項３にかかる発明では、上記請求項２に記載のパネル型テレビジョンにおて、上記誘導構造は、上記水平貫通口に対して上方向にオフセットした位置に設けられる複数の水平貫通口を備える構成としてある。
【００１０】
さらに、請求項４にかかる発明では、上記請求項２または３に記載のパネル型テレビジョンにおいて、上記誘導構造は、右のスタンドを誘導する誘導構造と左のスタンドを誘導する誘導構造とで左右対称に形成される構成としてある。
【００１１】
また、請求項５にかかる発明では、上記請求項２または３に記載のパネル型テレビジョンにおいて、上記誘導構造は、右のスタンドを誘導する誘導構造と左のスタンドを誘導する誘導構造とが同一の誘導部材上に形成され、右のスタンドを誘導する水平貫通口と左のスタンドを誘導する誘導構造とが上下にオフセットした位置に形成される構成としてある。
【発明の効果】
【００１２】
以上説明したように請求項２に係る発明によれば、スタンドを収納することにより、梱包時のセットサイズを大幅に縮小できるため、梱包材の材料費を削減できる。さらに、梱包サイズが小さくなる為コンテナ入り数が増加し、大幅なコストダウンが可能となる。また、スタンドをセットより取り外す事無く壁掛けが可能となる。また、軸回転方向に規制があるため、軸を中心としたスタンド前後方向の長さを同一とする必要が無くなった。
【００１３】
また請求項３にかかる発明によれば、複数の水平貫通口を設けたため、スタンドの高さ調節が可能となった。
そして請求項４にかかる発明によれば、右のスタンドを誘導する誘導構造と左のスタンドを誘導する誘導構造とを異なるものとしたため、左右にて取り違えることが無くなり、作業性が向上する。
さらに請求項５にかかる発明によれば、右のスタンドを誘導する誘導構造と左のスタンドを誘導する誘導構造とを同一の誘導部材に形成したため、右の補強フレームに取り付けられる誘導部材と左の補強フレームに取り付けられる誘導部材とに同一の誘導部材を使用することが可能となり、コストダウンが可能となる。
さらに請求項１のような、より具体的な構成において、上述した請求項２〜請求項５の各発明と同様の作用を奏することはいうまでもない。
【発明を実施するための最良の形態】
【００１４】
以下、下記の順序に従って本発明の実施形態を説明する。
（１）本実施例におけるプラズマテレビジョンの構成：
（２）スタンド収納構造：
（３）スタンド収納構造の第一の変形例：
（４）スタンド収納構造の第二の変形例：
（５）スタンド収納構造の第三の変形例：
（６）まとめ：
【００１５】
（１）本実施例におけるパネル型テレビジョンの構成：
図１は、プラズマディスプレイパネル（ＰＤＰ）モジュール（表示パネル）を用いたパネル型テレビジョン（プラズマテレビジョン）１０を斜め前方より見た斜視図である。同図において、キャビネット２０は、横に長い略長方形であるとともに前後に薄型の筐体を構成している。このキャビネット２０は前面にＰＤＰモジュール３０の表示面を露出させる略矩形の開口を有するフロントキャビネットと、背面からフロントキャビネットと合わせて取り付けられるリアキャビネットとから成る。
【００１６】
さらにパネル型テレビジョン１０全体を立設して支える右スタンド４０と左スタンド４１とがキャビネット２０内部から下方へと突き出している。右スタンド４０と左スタンド４１とは、床面と面接触する右基面部４０ｃおよび左基面部４１ｃと、各基面部よりそれぞれ略垂直にのびる円筒形状の右軸４０ａおよび左軸４１ａとから成る。キャビネット２０前面下端の左右には、図示しないスピーカから出力される音声をパネル型テレビジョン１０の前方へと出力させる為のスピーカ用穴が開いている。
【００１７】
図２はパネル型テレビジョン１０を斜め後方より見て示した斜視図である。同図において、キャビネット２０は、後方に厚く形成されているが、後部下端に厚みの無い部位が設けられている。この部位は、右基面部４０ｃおよび左基面部４１ｃが収納される為に使用される収納スペース４６である。また、キャビネット２０下部の右軸４０ａおよび４０ｂが内部より出る位置には、各スタンドの各軸を回動可能とするために円形の挿入孔が形成されている。
【００１８】
図３はパネル型テレビジョン１０のキャビネット２０を取り外して斜め後方より見た斜視図である。同図において、ＰＤＰモジュール３０には、上下左右側面から枠体５０が取り付けられて固定されている。そして、２本の右補強フレーム４２および左補強フレーム４３が、左右に間隔を置いて略垂直に配置され、上端と下端とで枠体５０にネジ止めされ、枠体５０を補強する。これにより、枠体５０のＰＤＰモジュール３０の前面に張り出している段部（不図示）がＰＤＰモジュール３０を前面から支持するとともに、右補強フレーム４２および左補強フレーム４３がＰＤＰモジュール３０を背面から支持することで、ＰＤＰモジュール３０を枠体５０と右補強フレーム４２および左補強フレーム４３とで固定している。
【００１９】
右補強フレーム４２及び左補強フレーム４３の下端の折り曲げ加工された板金の内側には、コ字型の右誘導部材４４及び左誘導部材４５がそれぞれ取り付けられる。右誘導部材４４は右スタンド４０の取り付け位置及び取り付け方向を誘導し、左誘導部材４５は左スタンド４１の取り付け位置および取り付け方向を誘導する。
【００２０】
さらに、各補強フレームそれぞれの背面側には、壁掛け構造７１が穴として２つずつ形成されている。これら壁掛け構造７１は、パネル型テレビジョン１０を壁掛けテレビとするための壁掛けキットを取り付けるためのものである。
【００２１】
図４には、パネル型テレビジョン１０の概略構成を説明するブロック図を示す。同図において、パネル型テレビジョン１０は、本体の動作を制御するコントローラ１０ｂと、図示していないアンテナで受信されるテレビ放送信号から選択されているチャンネルのテレビ放送信号を抽出し、出力するチューナ１０ｄと、該チューナ１０ｄが出力したテレビ放送信号に基く映像をＰＤＰモジュール３０に表示する映像処理部１０ｆと、該チューナ１０ｄが出力したテレビ放送信号に基く音声をスピーカ１０ｇから出力する音声処理部１０ｈと、リモコン１０ｃから送信されてきた制御コマンドを受信するリモコン受信部１０ａとを備えている。
【００２２】
これら、コントローラ１０ｂとチューナ１０ｄと映像処理部１０ｆと音声処理部１０ｈとリモコン受信部１０ａと、は回路として主基板に実装され、ＰＤＰモジュール３０の背面に取り付けられる。
【００２３】
コントローラ１０ｂは、リモコン受信部１０ａで受信した制御コマンドに応じて、電源のオン／オフ、チャンネルの切換、音量のアップ／ダウン等を制御する。尚、パネル型テレビジョン１０の各部には、図示していない電源回路から動作電源が供給されている。この電源回路の入力は、商用電源（例えば、ＡＣ１００Ｖ）である。
【００２４】
なお、本実施形態ではプラズマディスプレイから映像を出力するプラズマテレビジョンを例に取り上げて説明するが、本発明のパネル型テレビジョンには、液晶パネルから映像を出力する液晶テレビジョン等も考えられる。
【００２５】
（２）スタンド収納構造：
図５と図６と図７とは、右補強フレーム４２と左補強フレーム４３と右誘導部材４４と左誘導部材４５と右スタンド４０と左スタンド４１との位置関係を示す斜視図である。位置関係の把握のためにＰＤＰモジュール３０の位置を破線にて示してある。
【００２６】
図５はプラズマテレビジョン１０を立設している状態の図である。図６は右スタンド４０と左スタンド４１を収納するため、右スタンド４０を上方より見て右に９０度軸回転させ、左スタンド４１を上方より見て左に９０度軸回転させた状態の図である。そして、図７は、右スタンド４０と左スタンド４１が、キャビネット２０の収納スペース４６に収納された状態の図である。
【００２７】
図５と図６と図７とにおいて、右補強フレーム４２と左補強フレーム４３の下部の内側には、右誘導部材４４と左誘導部材４５とがそれぞれ取り付けられる。右誘導部材４４と左誘導部材４５とは、板金を右補強フレーム４２と左補強フレーム４３とに向けて左右を折り曲げ、折り曲げられた側面の端部が右補強フレーム４２と左補強フレーム４３とに取り付けられる。
【００２８】
右誘導部材４４と左誘導部材４５との前面側には、左右方向の略中心に、上下に右上下貫通口４４ｂと左上下貫通口４５ｂとがそれぞれ形成される。右上下貫通口４４ｂと左上下貫通口４５ｂとは、右誘導部材４４と左誘導部材４５との前面側の上端と下端とに所定の距離をおいて形成されるため、右誘導部材４４と左誘導部材４５とが右上下貫通口４４ｂと左上下貫通口４５ｂとにより切断されることは無く、上端と下端とで左右が繋がる。
【００２９】
そして、右上下貫通口４４ｂの下端より右方向に右水平貫通口４４ａが略水平に形成され、左上下貫通口４５ｂの下端より左方向に左水平貫通口４５ａが形成される。右水平貫通口４４ａは、右誘導部材４４側面の右端から所定の距離を置いた位置まで延び、左水平貫通口４５ａは、左誘導部材４５側面の左端から所定の距離を置いた位置まで延びる。
【００３０】
以上より、右誘導部材４４においては右水平貫通口４４ａおよび右上下貫通口４４ｂが、左誘導部材４５においては左水平貫通口４５ａおよび左上下貫通口４５ｂが、それぞれ誘導構造を構成する。
【００３１】
右スタンド４０の構造は、右スタンド４０の右基面部４０ｃ上面には円筒形状の右軸４０ａが略垂直に接続され、右基面部４０ｃにおいて右軸４０ａの前方が右軸４０ａの後方よりも長い構造となっている。同様に、左スタンド４１の構造は、左スタンド４１の左基面部４１ｃ上面には円筒形の左軸４１ａが略垂直に接続され、左基面部４１ｃにおいて左軸４１ａの前方が左軸４１ａの後方よりも長い構造となっている。
【００３２】
右軸４０ａと左軸４１ａとは、右補強フレーム４２と右誘導部材４４との間および左補強フレーム４３と左誘導部材４５との間にそれぞれ下方より挿入される。挿入後、右軸４０ａの側面には右水平貫通口４４ａまたは右上下貫通口４４ｂから差し込まれる右ボルト４０ｂが略垂直に突出するようにネジ止めされ、左軸４１ａの側面には左水平貫通口４５ａまたは左上下貫通口４５ｂから差し込まれる左ボルト４１ｂが略垂直に突出するようにネジ止めされる。この右ボルト４０ｂおよび左ボルト４１ｂが、スタンドの側面より突出する突起を構成する。
【００３３】
プラズマテレビジョン１０が立設されていて、右基面部４０ｃと左基面部４１ｃが前後方向に配向してときは、図５のように右ボルト４０ｂが右水平貫通口４４ａの右端であるところの右誘導部材４４右側面端部付近に、左ボルト４１ｂが左水平貫通口４５ａの左端であるところの左誘導部材４５左側面端部付近に、それぞれ位置している。
【００３４】
そして、右スタンド４０は、右補強フレーム４２背面側に形成されるネジ穴（不図示）から右軸４０ａの所定の位置に形成されるネジ穴へネジ止めされて固定され、左スタンド４１は左補強フレーム４３背面側に形成されるネジ穴（不図示）から左軸４１ａの所定の位置に形成されるネジ穴へネジ止めされて固定される。
【００３５】
右スタンド４０および左スタンド４１を収納する際は、右軸４０ａおよび左軸４１ａを固定しているネジを外し、右水平貫通口４４ａに沿って右ボルト４０ｂが誘導されるように右軸４０ａを上方より見て右回転させ、左水平貫通口４５ａに沿って左ボルト４１ｂが誘導されるように上方より見て左回転させる。
【００３６】
すると、図６のように、右ボルト４０ｂが右水平貫通口４４ａの左端に来ると、右基面部４０ｃは前方部分が左、後方部分が右となるように配向し、左ボルト４１ｂが左水平貫通口４５ａの右端に来ると、左基面部４１ｃは前方部分が右、後方部分が左となるように配向する。
【００３７】
そして、右上下貫通口４４ｂに沿って右ボルト４０ｂが誘導されるように、右スタンド４０を下から上へと押し込み、左上下貫通口４５ｂに沿って左ボルト４１ｂが誘導されるように、左スタンド４１を下から上へと押し込む。図７のように各ボルトが各上下貫通口の上端までくると、各スタンドの各基面部はキャビネット２０の下面後部に形成された収納スペース４６に収納される。
【００３８】
本実施例においては右誘導部材４４および左誘導部材４５は、それぞれ右補強フレーム４２および左補強フレーム４３とは別部材にて形成されるものとしたが、むろん、右補強フレーム４２および左補強フレーム４３の形成時に右誘導部材４４および左誘導部材４５が一体成型される構成としても構わない。
【００３９】
（３）スタンド収納構造の第一の変形例：
図８にスタンド収納構造の第一の変形例を示す。図８において、右誘導部材４４には、右水平貫通口４４ａから上方にオフセットした位置に第二の右水平貫通口４４ｃと第三の右水平貫通口４４ｄとが形成され、左誘導部材４５には、左水平貫通口４５ａから上方にオフセットした位置に第二の左水平貫通口４５ｃと第三の左水平貫通口４５ｄとが形成される。これら各第二の水平貫通口と各第三の水平貫通口とは、各スタンドの高さ変更の際の位置決めに使用される。
【００４０】
以上より、第二の右水平貫通口４４ｃと第三の右水平貫通口４４ｄ、または、第二の左水平貫通口４５ｃと第三の左水平貫通口４５ｄ、が上記水平貫通口に対して上方向にオフセットした位置に設けられる複数の水平貫通口を構成する。
【００４１】
つまり、プラズマテレビジョン１０の表示画面位置が高いときは、右軸４０ａを右補強フレーム４２に固定しているネジを外し、左軸４１ａを左補強フレーム４３に固定しているネジを取り外す。そして、右軸４０ａを上方から見て右回転させることにより右ボルト４０ｂを右水平貫通口４４ａに沿って右水平貫通口４４ａの左端に移動させ、左軸４１ａを上方から見て左回転させることにより左ボルト４１ｂを左水平貫通口４５ａに沿って左水平貫通口４５ａの右端に移動させる。
【００４２】
そして、右ボルト４０ｂが右上下貫通口４４ｂに沿うように軸を下から上へと押し込み、右ボルト４０ｂが第二の右水平貫通口４４ｃに沿うように右軸４０ａを上方より見て左回転させて第二の右水平貫通口４４ｃの右端に右ボルトを移動させる。また、左ボルト４１ｂが左上下貫通口４５ｂに沿うように左軸を下から上へと押し込み、左ボルト４１ｂが第二の左水平貫通口４５ｃに沿うように左軸４１ａを上方より見て右回転させて第二の左水平貫通口４５ｃの左端に左ボルトを移動させる。
【００４３】
しかる後、各軸を各補強フレームにネジ止めする。それでもプラズマテレビジョン１０の表示画面位置が高いときは同様の手順を行い、第三の右水平貫通口４４ｄの右端に右ボルト４０ｂを移動させた後、右軸４０ａを右補強フレーム４２にネジ止めし、第三の左水平貫通口４５ｄの左端に左ボルト４１ｂを移動させた後、左軸４１ａを左補強フレーム４３にネジ止めする。
【００４４】
（４）スタンド収納構造の第二の変形例：
図９にスタンド収納構造の第二の変形例を示した。同図において、右水平貫通口４４ａは、右誘導部材４４の前面において下端付近の略中央から水平右方向にかけて形成され、右誘導部材４４右側面の奥端手前まで延びる。さらに、右水平貫通口４４ａの右端から垂直上方に右上下貫通口４４ｂが形成され、右誘導部材４４右側面の上端手前まで延びる。
【００４５】
また、左水平貫通口４５ａは、左誘導部材４５の前面において下端付近の略中央から水平左方向にかけて形成され、左誘導部材４５左側面の端手前まで延びる。さらに、左水平貫通口４５ａの左端から垂直上方に左上下貫通口４５ｂが形成され、左誘導部材４５左側面の上端手前まで延びる。
【００４６】
各基面部が前後方向に配向していると、右ボルト４０ｂは右水平貫通口４４ａの右端に位置し、左ボルト４１ｂは左水平貫通口４５ａの左端に位置する。また、各基面部が左右方向に配向してキャビネット２０の下部の収納スペース４６に収納されていると、右ボルト４０ｂは右上下貫通口４４ｂの上端に位置し、左ボルト４１ｂは左上下貫通口４５ｂの上端に位置する。
【００４７】
つまり、プラズマテレビジョン１０のスタンドを収納するには、右軸４０ａおよび左軸４１ａをそれぞれ右補強フレーム４２および左補強フレーム４３に固定しているネジを取り外す。そして、右軸４０ａを上方から見て右回転させることにより右ボルト４０ｂを右水平貫通口４４ａに沿って右水平貫通口４４ａの左端に移動させ、左軸４１ａを上方から見て左回転させることにより左ボルト４１ｂを左水平貫通口４５ａに沿って左水平貫通口４５ａの右端に移動させる。
【００４８】
そして、右ボルト４０ｂが右上下貫通口４４ｂに沿うように軸を下から上へと押し込み、右上下貫通口４４ｂの上端に右ボルト４０ｂを移動させる。また、左ボルト４１ｂが左上下貫通口４５ｂに沿うように軸を下から上へと押し込み、左ボルト４１ｂを左上下貫通口４５ｂの上端に移動させる。しかる後、右軸４０ａおよび左軸４１ａをそれぞれ右補強フレーム４２および左補強フレーム４３にネジ止めする。
【００４９】
（５）スタンド収納構造の第三の変形例：
図１０にスタンド収納構造の第二の変形例を示した。同図において、右誘導部材４４と左誘導部材４５とは同一形状となる。すなわち、右誘導部材４４および左誘導部材４５には右水平貫通口４４ａと左水平貫通口４５ａと右上下貫通口４４ｂと左上下貫通口４５ｂとが形成される。
【００５０】
左水平貫通口４５ａは、各誘導部材の前面において下端付近の略中央から水平に右方向に向けて形成され、各誘導部材右側面の奥端手前まで延びる。さらに、左水平貫通口４５ａの右端から垂直上方に左上下貫通口４５ｂが形成され、各誘導部材右側面の上端手前まで延びる。
【００５１】
右水平貫通口４４ａは、各誘導部材の前面において下端付近の略中央から、水平に左方向に向けて形成され、各誘導部材左側面の奥端手前まで延びる。さらに右水平貫通口４４ａの左端から垂直上方に向けて右上下貫通口４４ｂが形成され、両誘導部材左側面の上端手前まで延びる。
【００５２】
右水平貫通口４４ａと左水平貫通口４５ａとは上下にオフセットした位置に形成され、互いに交わることは無い。図１０においては右水平貫通口４４ａが左水平貫通口４５ａより上に形成されている。そして、右補強フレーム４２に取り付けられる右誘導部材４４では右水平貫通口４４ａと右上下貫通口４４ｂとから成る貫通口に右ボルト４０ｂが挿入されて使用され、左補強フレーム４３に取り付けられる左誘導部材４５では左水平貫通口４５ａと左上下貫通口４５ｂとから成る貫通口に左ボルト４１ｂが挿入されて使用される。
【００５３】
したがって、本第三の実施例においては、右スタンド４０に取り付けられる右ボルト４０ｂと左スタンド４１に取り付けられる左ボルト４１ｂとでは、右水平貫通口４４ａと左水平貫通口４５ａとの上下方向のオフセット分だけ取り付け高さが異なる。
【００５４】
各基面部４０ｃ、４１ｃが前後方向に配向していると、右ボルト４０ｂは右水平貫通口４４ａの右端に位置し、左ボルト４１ｂは左水平貫通口４５ａの左端に位置する。また、各基面部４０ｃ、４１ｃが左右方向に配向し、キャビネット２０の下部の収納スペース４６に収納されていると、右ボルト４０ｂは右上下貫通口４４ｂの上端に位置し、左ボルト４１ｂは左上下貫通口４５ｂの上端に位置する。
【００５５】
つまり、本第三の実施例において、プラズマテレビジョン１０の各スタンドを収納するには、右軸４０ａおよび左軸４１ａをそれぞれ右補強フレーム４２および左補強フレーム４３に固定しているネジを取り外す。そして、右軸４０ａを上方から見て右回転させることにより右ボルト４０ｂを右水平貫通口４４ａに沿って右水平貫通口４４ａの左端に移動させ、左軸４１ａを上方から見て左回転させることにより左ボルト４１ｂを左水平貫通口４５ａに沿って左水平貫通口４５ａの右端に移動させる。
【００５６】
そして、右ボルト４０ｂが右上下貫通口４４ｂに沿うように右軸４０ａを下から上へと押し込み、右上下貫通口４４ｂの上端に右ボルト４０ｂを移動させる。また、左ボルト４１ｂが左上下貫通口４５ｂに沿うように左軸４１ａを下から上へと押し込み、左ボルト４１ｂを左上下貫通口４５ｂの上端に移動させる。しかる後、右軸４０ａおよび左軸４１ａをそれぞれ右補強フレーム４２および左補強フレーム４３にネジ止めする。
【００５７】
（６）まとめ：
つまり、パネル型テレビジョンが立設されているときは、各ボルト４０ｂ、４１ｂは、各水平貫通口４４ａ，４５ａの各上下貫通口４４ｂ，４５ｂと連続しない側の端部にそれぞれ位置する。各スタンド４０、４１を収納するときは、各水平貫通口４４ａ、４５ａが各ボルト４０ｂ、４１ｂとそれぞれ係合しつつ各スタンド４０、４１を軸回転方向に誘導し、各水平貫通口４４ａ、４５ａと連続する位置まで誘導し、各上下貫通口４４ｂ、４５ｂが各ボルト４０ｂ、４１ｂと係合しつつ各スタンド４０、４１を上下方向に誘導して、各ボルト４０ｂ、４１ｂを各上下貫通口４４ｂ、４５ｂの上端に位置させることにより各スタンド４０、４１を収納スペース４６に収納させる。
【００５８】
以上説明したように、本実施例に対応する請求項２にかかるパネル型テレビジョンでは、映像を画面に表示する表示パネルと、上記表示パネルを側面より支持する枠体と、上端と下端とを上記枠体に固定され、枠体を上下方向に補強するとともに左右にオフセットした位置に配置される左右一対の補強フレームと、上記補強フレーム下部に固定されるとともに下方へ延び、上記表示パネルの画面を前面に向けて立設可能に支持する左右一対のスタンドと、を備えるパネル型テレビジョンにおいて、上記スタンドの側面より略垂直に突出する突起と、上記突起と係合しつつ上記スタンドを軸回転方向に誘導する水平貫通口と、同水平貫通口の端部より連続して上方に形成されるとともに上記突起と係合しつつ上記スタンドを上下方向に誘導する上下貫通口とから成る誘導構造を備え、上記補強フレーム下部に取り付けられ、上記スタンドの取付位置および取付方向を誘導する誘導部材と、上記パネル型テレビジョン下部にもうけられる収納スペースと、から構成され、上記突起が、上記水平貫通口における上記上下貫通口と連続しない側の端部に位置するときは上記スタンドが上記パネル型テレビジョンを立設可能に支持し、上記突起が上記上下貫通口の上端に位置するときは上記スタンドは上記収納スペースに収納される構成としてある。
【００５９】
つまり、上記パネル型テレビジョンが立設されているときは、上記突起は上記水平貫通口の上記上下貫通口と連続しない側の端部に位置する。また、上記スタンドを収納するときは、上記水平貫通口が上記突起と係合しつつ上記スタンドを軸回転方向に誘導し、上記上下貫通口と連続する位置まで誘導し、上記上下貫通口が上記突起と係合しつつ上記スタンドを上下方向に誘導して、上記突起を上記上下貫通口の上端に位置させることにより上記スタンドを上記収納スペースに収納させる。
上記のように構成した請求項２に記載の発明においては、スタンドを収納することにより、梱包時のセットサイズを大幅に縮小できるため、梱包材の材料費を削減できる。さらに、梱包サイズが小さくなる為コンテナ入り数が増加し、大幅なコストダウンが可能となる。また、スタンドをセットより取り外す事無く壁掛けが可能となる。また、軸回転方向に規制があるため、軸を中心としたスタンド前後方向の長さを同一とする必要が無くなった。
【００６０】
そして、請求項３にかかる発明では、上記請求項２に記載のパネル型テレビジョンにおいて、上記誘導構造は、上記水平貫通口に対して上方向にオフセットした位置に設けられる複数の水平貫通口を備える構成としてある。
上記のように構成した請求項３に記載の発明においては、複数の水平貫通口を設けたため、スタンドの高さ調節が可能となった。
【００６１】
さらに、請求項４にかかる発明では、上記請求項２または３に記載のパネル型テレビジョンにおいて、上記誘導構造は、右のスタンドを誘導する誘導構造と左のスタンドを誘導する誘導構造とで左右対称に形成される構成としてある。
上記のように構成した請求項４に記載の発明においては、右のスタンドを誘導する誘導構造と左のスタンドを誘導する誘導構造とを異なるものとしたため、左右にて取り違えることが無くなり、作業性が向上する。
【００６２】
また、請求項５にかかる発明では、また、請求項５にかかる発明では、上記請求項２または３に記載のパネル型テレビジョンにおいて、上記誘導構造は、右のスタンドを誘導する誘導構造と左のスタンドを誘導する誘導構造とが同一の誘導部材上に形成され、右のスタンドを誘導する水平貫通口と左のスタンドを誘導する誘導構造とが上下にオフセットした位置に形成される構成としてある。
上記のように構成した請求項５に記載の発明においては、右のスタンドを誘導する誘導構造と左のスタンドを誘導する誘導構造とを同一の誘導部材に形成したため、右の補強フレームに取り付けられる誘導部材と左の補強フレームに取り付けられる誘導部材とに同一の誘導部材を使用することが可能となり、コストダウンが可能となる。
【００６３】
以上の構成を踏まえた上で、請求項１の発明は、映像を画面に表示するプラズマディスプレイパネルモジュールと、音声を出力するスピーカと、アンテナで受信されるテレビ放送信号から選択されているチャンネルのテレビ放送信号を抽出し出力するチューナと、当該チューナが出力したテレビ放送信号に基づき、映像を前記ＰＤＰに表示させる映像処理部と、音声を前記スピーカに出力させる音声処理部と、一次側の入力電圧をトランスを介して所望の電圧に変換して二次側で出力する電源回路と、上記プラズマディスプレイパネルモジュールの上下左右側面に取り付けられ、同プラズマディスプレイパネルモジュールを前面から支持する枠体と、金属板を幅方向にコ字型に屈曲させて形成され、左右にオフセットした位置に配置されるとともに上記プラズマディスプレイパネルモジュールの背面側において上端と下端とを上記枠体に固定され、かつ、壁掛けキットを取りつけるためのネジ穴が背面側に形成される右補強フレームおよび左補強フレームと、上記プラズマディスプレイパネルモジュールと上記スピーカと上記チューナと上記映像処理部と上記音声処理部と上記電源回路と上記枠体と上記右補強フレームと上記左補強フレームとを内部に収容するキャビネットと、上記右補強フレーム下部および上記左補強フレーム下部より上記キャビネットに形成される挿入口より外部へと下方に延び、上記プラズマディスプレイパネルモジュールの画面を前面に向けて立設可能に支持する左右一対の右スタンドおよび左スタンドとを備えるプラズマテレビジョンにおいて、上記右スタンドの軸および上記左スタンドの軸は円筒形状であり上記補強フレームにネジ止めされ、上記挿入口は上記スタンドを回動可能とする円形であり、上記右スタンドの軸および上記左スタンドの軸の側面にそれぞれ取り付けられて同側面より略垂直に突出する右ボルトおよび左ボルトと、上記右補強フレーム下部に取り付けられ、上記右スタンドの取り付け位置および取り付け方向を誘導する右誘導部材と、上記左補強フレーム下部に取り付けられ、上記右スタンドの取り付け位置及び取り付け方向を誘導する左誘導部材と、上記右誘導部材の右側面下端から前面略中央にかけて水平に形成されて、上記右ボルトと係合しつつ上記右スタンドを軸回転方向に誘導する右水平貫通口と、上記右誘導部材において、上記右水平貫通口の左端部よりより連続して上方に垂直に形成され、上記右ボルトと係合しつつ上記右スタンドを上下方向に誘導する右上下貫通口と、上記左誘導部材の左側面下端から前面略中央にかけて水平に形成されて、上記左ボルトと係合しつつ上記左スタンドを軸回転方向に誘導する左水平貫通口と、上記左誘導部材において、上記左水平貫通口の右端部よりより連続して上方に垂直に形成され、上記左ボルトと係合しつつ上記左スタンドを上下方向に誘導する左上下貫通口と、を備える構成としてある。
【００６４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００６５】
【図１】パネル型テレビジョンを斜め前方より見て示した斜視図である。
【図２】パネル型テレビジョンを斜め後方より見て示した斜視図である。
【図３】パネル型テレビジョンのキャビネットを取り外して斜め後方より見た斜視図である。
【図４】パネル型テレビジョンの概略構成を説明するブロック図である。
【図５】補強フレームと誘導部材とスタンドとの位置関係を示す斜視図である。
【図６】補強フレームと誘導部材とスタンドとの位置関係を示す斜視図である。
【図７】補強フレームと誘導部材とスタンドとの位置関係を示す斜視図である。
【図８】第一の変形例における補強フレームと誘導部材とスタンドとの位置関係を示す斜視図である。
【図９】第二の変形例における補強フレームと誘導部材とスタンドとの位置関係を示す斜視図である。
【図１０】第三の変形例における補強フレームと誘導部材とスタンドとの位置関係を示す斜視図である。
【符号の説明】
【００６６】
１０…パネル型テレビジョン（プラズマテレビジョン）
２０…キャビネット
３０…ＰＤＰモジュール
４０…右スタンド
４１…左スタンド
４０ａ…右軸
４０ｂ…右ボルト
４０ｃ…右基面部
４１ａ…左軸
４１ｂ…左ボルト
４１ｃ…左基面部
４２…右補強フレーム
４３…左補強フレーム
４４…右誘導部材
４４ａ…右水平貫通口
４４ｂ…右上下貫通口
４４ｃ…第二の右水平貫通口
４４ｄ…第三の右水平貫通口
４５…左誘導部材
４５ａ…左水平貫通口
４５ｂ…左上下貫通口
４５ｃ…第二の左水平貫通口
４５ｄ…第三の左水平貫通口
４６…収納スペース
５０…枠体
７１…壁掛け構造
【図１】
2007180752.tif 000003
【図２】
2007180752.tif 000004
【図３】
2007180752.tif 000005
【図４】
2007180752.tif 000006
【図５】
2007180752.tif 000007
【図６】
2007180752.tif 000008
【図７】
2007180752.tif 000009
【図８】
2007180752.tif 000010
【図９】
2007180752.tif 000011
【図１０】
2007180752.tif 000012